(57)【要約】【課題】      蝶番をカバ−で覆って糸絡み等が起こらないようにした釣用魚入れ容器を提供することである。【解決手段】  釣用魚入れ容器の容器本体１の容器本体上側４には魚の取出し口４ａが開口されて蓋体６が上面板３の蝶番固定部３ｂと蓋体６の蝶番固定部６ａとに蝶番７、７で取り付けられ、蓋体６の後側で蝶番７の外側には蝶番７を覆うカバ−６ｃが蓋体６の横幅と同寸法で後側に向けて延びている。  カバ−６ｃは蝶番７の周方向に湾曲した形状に形成されている。  容器本体上側４の魚の取出し口４ａの後側には蓋体６の横幅より幾分広い開口部４ｂが後方に向けて開口されて蓋体６との間に間隙Ａが設けられている。  カバ−６ｃは開口部４ｂの中に差し込まれている。【選択図】        図５
2010035442.tif 000002
【特許請求の範囲】
【請求項１】
上面に魚取出し口を有し、前記魚取出し口に蓋体を回動可能に枢着した釣用魚入れ容器において、容器本体に魚の取り出し口を開閉する蓋体を蝶番で回動可能に取り付け、前記蓋体に前記蝶番を覆うカバ−を設けたことを特徴とする釣用魚入れ容器。
【請求項２】
前記カバ−は蝶番の周方向に湾曲した形状に形成したことを特徴とする請求項１に記載の釣用魚入れ容器。
【請求項３】
前記容器本体と蓋体の間に蓋体が回動された時に前記カバ−が差し込まれる間隙を設けたことを特徴とする請求項１及び２に記載の釣用魚入れ容器。
【発明の詳細な説明】
【技術分野】
【０００１】
本発明は、釣りで使用する釣用魚入れ容器に関する。
【背景技術】
【０００２】
従来、おとり缶や、引き舟等の釣用魚入れ容器は箱型又は舟型の容器に紐が取り付けられて水に浮かべたり、容器の上に石等を載せて沈め、容器から魚を取り出す時は魚の取り出し口の蓋体を開いて取り出していた。
前記蓋体は容器本体の上面に蝶番で回動可能に取り付けられ、かつ蝶番は特許文献１のように露出されているので、釣糸が絡む等の不具合があった。
【特許文献１】実開昭６３−１２７３５５号公報
【発明の開示】
【発明が解決しようとする課題】
【０００３】
解決しようとする問題点は、蝶番に釣糸等が絡むことである。
【０００４】
本発明の目的は前記欠点に鑑み、蝶番をカバ−で覆って糸絡み等が起こらないようにした釣用魚入れ容器を提供することである。
【課題を解決するための手段】
【０００５】
本発明の請求項１は、上面に魚取出し口を有し、前記魚取出し口に蓋体を回動可能に枢着した釣用魚入れ容器において、容器本体に魚の取り出し口を開閉する蓋体を蝶番で回動可能に取り付け、前記蓋体に前記蝶番を覆うカバ−を設けたことを要旨とするものである。
本発明の請求項１は、前記カバ−は蝶番の周方向に湾曲した形状に形成したことを要旨とするものである。
本発明の請求項３は、前記容器本体と蓋体の間に蓋体が回動された時に前記カバ−が差し込まれる間隙を設けたことを要旨とするものである。
【発明の効果】
【０００６】
本発明の請求項により、蓋体が閉じられている時には蝶番はカバ−の内側にあって容器本体上側と蓋体の上面に露出していないので釣糸等が絡むことがない。
【発明を実施するための最良の形態】
【０００７】
釣用魚入れ容器の容器本体１の容器本体上側４には魚の取出し口４ａが開口されて蓋体６が上面板３の蝶番固定部３ｂと蓋体６の蝶番固定部６ａとに蝶番７、７で取り付けられている。
蓋体６の後側で蝶番７の外側には蝶番７を覆うカバ−６ｃが蓋体６の横幅と同寸法で後側に向けて延びている。
カバ−６ｃは蝶番７の周方向に湾曲した形状に形成されている。
容器本体上側４の魚の取出し口４ａの後側には蓋体６の横幅より幾分広い開口部４ｂが後方に向けて開口されて蓋体６との間に間隙Ａが設けられている。
カバ−６ｃは開口部４ｂの中に差し込まれている。
蓋体６が開かれた時にはカバ−６ｃの先端が上面板３の蝶番固定部３ｂの側壁に当接される。
【実施例１】
【０００８】
以下、図示の実施例によって本発明を説明すると、図１から図５は第１実施例で図１は釣用魚入れ容器の平面図、図２は釣用魚入れ容器の蓋体の内側を示す断面正面図、図３は釣用魚入れ容器の蓋体の要部拡大平面図、図４は釣用魚入れ容器の断面側面図、図５は釣用魚入れ容器の容器本体上側の要部拡大断面側面図と一部拡大要部断面側面図である。
【０００９】
釣用魚入れ容器の容器本体１は合成樹脂材等で形成した引き舟で、容器本体下側２と容器本体下側２の上に固定された通路３ａを有する上面板３と容器本体上側４とで形成され、容器本体下側２の前壁と側壁に水取り入れ口２ａ、２ｂが穿設されて流水が流入される。
容器本体下側２の底部２ｃの内側面には、底部２ｃを形成する材料より柔らかいゴムや合成樹脂で平板状に形成された騒音防止部材５が添設されて接着剤等で取り付けられている。
流入された水は上面板３に形成された通路３ａを通して容器の後部に排出されている。
容器本体下側２と容器本体上側４の両側と前側には発泡樹脂等の浮力材１０が入れられて水に浮かぶ構成となっている。
容器本体上側４には魚の取出し口４ａが開口されて蓋体６が上面板３の上面に上方ら向けて形成された突部からなる蝶番固定部３ｂに蝶番７、７で開閉自在に軸支されて取り付けられている。
蝶番７は図２のように上面板３の蝶番固定部３ｂ側に固定された板側に形成された筒部７ａと蓋体６側に固定された板側に形成された筒部７ｂの対向する面に凹凸が形成されて発条１１で付勢され蓋体６の開閉時に凹凸が係合すると節度が生じるように回動する。
【００１０】
蓋体６には魚を投入する投入口６ｂが開口されて投入口６ｂには内側から塞ぐように蓋体６の内側に閉塞板８、８が内側に開閉出来るように蝶番１２、１２で取り付けられて発条１３、１３で閉塞付勢されている。
蓋体６の後側の蝶番固定部６ａに蝶番７を覆うカバ−６ｃが蓋体６の横幅と同寸法で後側に向けて延びている。
カバ−６ｃは蝶番７の周方向に湾曲した形状に形成され蝶番７の上方を覆っている。
容器本体上側４の魚の取出し口４ａの後側には蓋体６の横幅より幾分広い開口部４ｂが後方に向けて開口されて蓋体６との間に間隙Ａが設けられている。
カバ−６ｃは開口部４ｂの中に差し込まれ蓋体６が開かれてカバ−６ｃは蝶番７、７の周方向に沿って覆った状態で移動するようになっている。
蓋体６が開かれた時にはカバ−６ｃの先端が上面板３の蝶番固定部３ｂの側壁に当接され蓋体６の開閉の度当りとなる。
容器本体下側２と容器本体上側４の両側の前側の透孔には紐１４、１４′が挿通されて取り手１５が取り付けられ、取り手１５には適宜長さの紐１６の一端が取り付けられて紐１６の他方の端にはベルトの係止具１７が取り付けられ、係止具１７は釣人の腰のベルト等に係止されて流れに引き流して使用される。
【００１１】
釣り用引き舟が使用される時は、川の水量が多い時には容器本体１を水に浸けると、容器本体上側４と蓋体６との上を水が流れ、流れた水が投入口６ｂの上をかすめ、流水の一部は閉塞板８、８の複数の通水孔８ａ、８ａを通して容器本体１内に流れ、通路３ａを通して容器の後部に排出される。
投入口６ｂの上をかすめる流水が複数の通水孔８ａ、８ａを通して容器本体１内に流れれば、水流の水圧で閉塞板８、８が内側に押されて開くことがない。
川の水量が少ない時には容器本体１を水に浸けると、底部２ｃが川底の石や岩に接触して擦れ音や衝撃音を発生するが、底部２ｃの内側面に騒音防止部材５が取り付けられているので、騒音防止部材５で擦れ音や衝撃音が吸収される。
蓋体６を開閉する蝶番７はカバ−６ｃの内側にあって露出していないので釣糸等が絡むことがない。
【００１２】
前記のように釣用魚入れ容器が構成されると、蓋体６が閉じられている時には蝶番７はカバ−６ｃの内側にあって容器本体上側４と蓋体６の上面に露出していないので釣糸等が絡むことがない。
【実施例２】
【００１３】
図６はおとり缶と呼ばれる釣用魚入れ容器の第２実施例で、この釣用魚入れ容器は上に石等が載せられて川底に沈めて設置して使用される。
図６は釣用魚入れ容器の平面図と要部拡大平面図である。
【００１４】
釣用魚入れ容器の容器本体１′は合成樹脂材等で箱型に図示しない容器本体下側と容器本体下側の上に固定された容器本体上側４′とで形成され、容器本体上側４′に魚の取出し口４ａが開口されていると共に後側に水取り入れ口４ｃが穿設されている。
容器本体上側４′の魚の取出し口４ａには蓋体６が、図示しない蝶番保持部と蓋体６の蝶番固定部に取り付けられた蝶番７、７で取り付けられている。
魚の取出し口４ａの後側には蓋体６の横幅より幾分広い開口部４ｂが後方に向けて開口されて蓋体６との間に間隙Ａが設けられている。
カバ−６ｃは開口部４ｂの中に差し込まれている。
他の構成は前記第１実施例と略同一である。
【産業上の利用可能性】
【００１５】
本発明は釣用魚入れ容器全般に利用できる。
【図面の簡単な説明】
【００１６】
【図１】第１実施例で釣用魚入れ容器の平面図である。
【図２】同釣用魚入れ容器の蓋体の内側を示す断面正面図である。
【図３】同釣用魚入れ容器の蓋体の要部拡大平面図である。
【図４】同釣用魚入れ容器の断面側面図である。
【図５】同釣用魚入れ容器の容器本体上側の要部拡大断面側面図と一部拡大要部断面側面図である。
【図６】第２実施例で釣用魚入れ容器の平面図と要部拡大平面図である。
【符号の説明】
【００１７】
１、１′  容器本体
４ａ  魚の取出し口
６  蓋体
６ｃ  カバ−
７  蝶番
Ａ  間隙
【図１】
2010035442.tif 000003
【図２】
2010035442.tif 000004
【図３】
2010035442.tif 000005
【図４】
2010035442.tif 000006
【図５】
2010035442.tif 000007
【図６】
2010035442.tif 000008